(57)【要約】【課題】シャッター装置において、火災時に、ブラケットの下端とガイドレール下地枠の上端との間から炎が出ることを防止する。【解決手段】シャッターケース７の幅方向両端に位置し、巻取シャフト２の長さ方向両端を支持する左右のブラケット１の下端とガイドレール下地枠３の上端は当接しており、ブラケット１の下端部位あるいは／およびガイドレール下地枠３の上端部位には、ブラケット１の下端とガイドレール下地枠３の上端の当接部位を全体に亘って側方から塞ぐようにカバープレート２０が設けてある。１つの態様では、カバープレート２０は、ブラケット１の面部１０の外面の下端部位に取り付けられている。【選択図】図１１
2019206798.tif 000002
【特許請求の範囲】
【請求項１】
シャッターカーテンと、
シャッターカーテンが連結された巻取シャフトと、
巻取シャフト及び当該巻取シャフトに巻き取られたシャッターカーテンを収容するシャッターケースと、
シャッターケースの幅方向両端に位置し、巻取シャフトの長さ方向両端を支持する左右のブラケットと、
シャッターカーテンの幅方向両端を案内する左右のガイドレールと、
左右のガイドレールを支持する左右のガイドレール下地枠と、
を備え、
前記ブラケットの下端と前記ガイドレール下地枠の上端は近接もしくは当接しており、
前記ブラケットの下端部位あるいは／および前記ガイドレール下地枠の上端部位には、前記ブラケットの下端と前記ガイドレール下地枠の上端の近接部位もしくは当接部位を全体に亘って側方から塞ぐようにカバープレートが設けてある、
シャッター装置。
【請求項２】
前記カバープレートの先端側は、前記近接部位もしくは当接部位を越えて前記ガイドレールにまで延びている、請求項１に記載のシャッター装置。
【請求項３】
前記ブラケットにはサイドキャップが被着されており、
前記サイドキャップの下端部位は、前記カバープレートを覆っている、
請求項１、２いずれか１項に記載のシャッター装置。
【請求項４】
前記カバープレートは、前記ブラケットの面部の外面の下端部位に取り付けられている、
請求項１〜３いずれか１項に記載のシャッター装置。
【請求項５】
前記ブラケット下端には、前記ガイドレール下地枠の上端よりも下方に延びる下地枠規制片が設けてあり、
前記ガイドレール下地枠の先端側に位置して、前記下地枠規制片の被当接部が設けてあり、
前記下地枠規制片が前記被当接部に当接することで、前記ガイドレール下地枠及び前記ガイドレールの左右方向の振れを規制している、
請求項１〜４いずれか１項に記載のシャッター装置。
【発明の詳細な説明】
【技術分野】
【０００１】
本発明は、シャッター装置に関するものである。
【背景技術】
【０００２】
シャッター装置は本来的に建物開口部を塞いで屋外側空間と屋内側区間を仕切るものであるが、さらに、火災時において屋外側空間と屋内側区間とを連通する隙間や開口が形成されないようにする防火性能が要求される。特許文献１には、火災時等にサイドキャップが溶融して落下した状態でケース本体の側面部材と点検板との間を火炎が通ることがないようにした窓シャッターが提案されている。特許文献１の窓シャッターでは、左右の縦枠がシャッターケースの側方に至るまで上方に延びており、シャッターケースの左右のブラケットの下端に防火上不利な隙間が生じることがない。
【０００３】
しかしながら、シャッター装置によっては、ブラケットの下端がガイドレール下地枠の上端に近接ないし当接する納まりのものがあり、このものでは、例えば、火災時に、ブラケットに被着されたサイドキャップが燃え落ちた後に、ブラケットの下端とガイドレール下地枠の上端との間に生じた隙間を通じて、閉鎖姿勢にあるシャッターの屋内側から屋外側に、あるいは、屋外側から屋内側に炎が出てしまうおそれがある。
【特許文献１】特許第５７４９１２９号
【発明の開示】
【発明が解決しようとする課題】
【０００４】
本発明は、シャッター装置において、火災時に、ブラケットの下端とガイドレール下地枠の上端との間から炎が出ることを防止することを目的とするものである。
【課題を解決するための手段】
【０００５】
本発明が採用した技術手段は、
シャッターカーテンと、
シャッターカーテンが連結された巻取シャフトと、
巻取シャフト及び当該巻取シャフトに巻き取られたシャッターカーテンを収容するシャッターケースと、
シャッターケースの幅方向両端に位置し、巻取シャフトの長さ方向両端を支持する左右のブラケットと、
シャッターカーテンの幅方向両端を案内する左右のガイドレールと、
左右のガイドレールを支持する左右のガイドレール下地枠と、
を備え、
前記ブラケットの下端と前記ガイドレール下地枠の上端は近接もしくは当接しており、
前記ブラケットの下端部位あるいは／および前記ガイドレール下地枠の上端部位には、前記ブラケットの下端と前記ガイドレール下地枠の上端の近接部位もしくは当接部位を全体に亘って側方から塞ぐようにカバープレートが設けてある、
シャッター装置、である。
【０００６】
１つの態様では、前記カバープレートの先端側は、前記近接部位もしくは当接部位を越えて前記ガイドレールにまで延びている。
カバープレートの先端側をガイドレールまで設けることで、ブラケットの下端とガイドレール下地枠の上端の近接部位もしくは当接部位の先端側の隙間をより確実に塞ぐことができる。
１つの態様では、前記ブラケット及び前記ガイドレール下地枠は躯体から持ち出し状に設けてあり、前記カバープレートの基端は、躯体に近接あるいは当接している。
カバープレートの基端側をガイドレールまで設けることで、ブラケットの下端とガイドレール下地枠の上端の近接部位もしくは当接部位の基端側の隙間をより確実に塞ぐことができる。
【０００７】
１つの態様では、前記ブラケットにはサイドキャップが被着されており、前記サイドキャップの下端部位は、前記カバープレートを覆っている。
１つの態様では、サイドキャップは、ブラケット側面の全部及びガイドレール下地枠及びガイドレールの上端部位を覆うように設けられ、カバープレートはサイドキャップからはみ出さないように設けられており、外部からカバープレートが見えないようになっている。
１つの態様では、前記近接部位もしくは当接部位は水平状に延びており、前記カバープレートは、水平方向に延びる細長プレートである。
１つの態様では、ブラケットの面部の外面とガイドレール下地枠の側辺の外面が同一垂直面上にあり、前記カバープレートは、垂直姿勢でブラケットの面部の外面とガイドレール下地枠の側辺の外面に跨るように設けられる。
【０００８】
１つの態様では、前記カバープレートは、前記ブラケットの面部の外面の下端部位に取り付けられている。
カバープレートをブラケットの下端部位に幅方向に亘って取り付けることで、ブラケットの歪みを抑えることができる。
【０００９】
１つの態様では、前記ブラケット下端には、前記ガイドレール下地枠の上端よりも下方に延びる下地枠規制片が設けてあり、
前記ガイドレール下地枠の先端側に位置して、前記下地枠規制片の被当接部が設けてあり、
前記下地枠規制片が前記被当接部に当接することで、前記ガイドレール下地枠及び前記ガイドレールの左右方向の振れを規制している。
後述する実施形態では、前記被当接部は、ガイドレール下地枠の先端側部位とガイドレールとの連結部位に位置して設けてあり、前記被当接部は、前記ガイドレール下地枠の先端側部位あるいは前記ガイドレールの部分から形成されている。
下地枠規制片で前記ガイドレール下地枠及び前記ガイドレールの左右方向の振れを規制することで、ガイドレール下地枠とカバープレートとの間の隙間の生成を防止することができる。
また、ブラケットをガイドレール下地枠に取り付ける際に、カバープレートや下地枠規制片をガイドとして用いることができ、施工性も良好である。
【発明の効果】
【００１０】
本発明では、ブラケットの下端とガイドレール下地枠の上端が近接もしくは当接しているものにおいて、前記ブラケットの下端部位あるいは／および前記ガイドレール下地枠の上端部位に、前記ブラケットの下端と前記ガイドレール下地枠の上端の近接部位もしくは当接部位を全体に亘って側方から塞ぐようにカバープレートを設けることで、ブラケットの下端とガイドレール下地枠の上端の近接部位ないし当接部位の隙間から炎が出ることを防止する。
したがって、火災時において、サイドキャップが燃え落ちた後に、ブラケットの下端とガイドレール下地枠の上端の間に生成された隙間を通じて、閉鎖姿勢にあるシャッターの屋内側から屋外側に、あるいは、屋外側から屋内側に炎が出ることを防止できる。
【図面の簡単な説明】
【００１１】
【図１】窓シャッター装置の概略正面図である。
【図２】窓シャッター装置の縦断面図である。
【図３】図２の部分拡大図である。
【図４】窓シャッター装置の横断面図であり、左側が窓開口部の上方の高さ位置の横断面、右側が窓開口部の高さ位置の横断面を示す。
【図５】図４に示す窓シャッター装置の一方のガイドレール及びガイドレール下地枠の上方部位の横断面図であり、下側から上側に向かって見た図である。
【図６】図２における下枠を示す図であり、上から、平面図、背面図、側面図である。
【図７】窓シャッター装置の上方部位の内部を示す正面図（巻取シャフトは省略）である。
【図８】（Ａ）は、図３、図４のＡ−Ａ線縦断面図であり、（Ｂ）は、図３、図４のＢ−Ｂ線縦断面図である。
【図９】左図はブラケットの正面図、右図はブラケットを内側から見た側面図である。
【図１０】開閉機の取付台を示す図である。
【図１１】左図は、ブラケットとガイドレール下地枠の上方部位を外側から見た側面図であり、右図は、一部切り欠き正面図である。
【図１２】上図は、ブラケットとガイドレール下地枠の上方部位を内側から見た側面図であり、下図は、ガイドレール下地枠の上方部位の横断面図である。
【図１３】カバープレートを示す図である。
【図１４】ガイドレール下地枠規制構造（アルミサッシ用）を説明する図である。
【図１５】ガイドレール下地枠規制構造（樹脂サッシ用）を説明する図である。
【図１６】サイドキャップを示す図である。
【図１７】サイドキャップ本体部を示す図である。
【図１８】サイドキャップ分割部を示す図である。
【図１９】（Ａ）は図１６のＡ−Ａ線縦断面図、（Ｂ）は図１６のＢ−Ｂ線縦断面図、（Ｃ）は図１６のＣ−Ｃ線縦断面図である。
【図２０】右図は、サイドキャップ分割部の上端部の突片とサイドキャップ本体部との係合状態を示す図であり、左図は、サイドキャップ本体部の下端部の突片とブラケットとの連結状態を示す図である。
【図２１】サイドキャップ分割部の下縁部の後端に形成された係止突片とサイドキャップ本体部の後側部位の前端かつ下端に形成された係止受部との係合状態を示す図であり、左図が内側から見た側面図、右図が後から見た断面図である。
【図２２】窓シャッター装置（後付け）のシャッターケースの側面図である。
【図２３】窓シャッター装置（先付け）の横断面図であり、左側が窓開口部の上方の高さ位置の横断面、右側が窓開口部の高さ位置の横断面を示す。
【図２４】図２３に示す窓シャッター装置の一方のガイドレール及びガイドレール下地枠の上方部位の横断面図であり、下側から上側に向かって見た図である。
【図２４Ａ】（Ａ）は（Ｂ）のＢ−Ｂ線断面図であり、（Ｂ）は図２４と類似の図である。
【図２５】窓シャッター装置（先付け）の下方部位の縦断面図である。
【図２６】図２５における下枠を示す図であり、上から、平面図、背面図、側面図である。
【図２７】窓シャッター（先付け）のシャッターケースの側面図である。
【図２８】メンテナンス時のシャッターケース下板を取り外す工程を示す図である。
【図２９】窓シャッター装置のシャッターケースが半軒天収納の場合を示す図である。
【発明を実施するための形態】
【００１２】
図１は全閉姿勢にある窓シャッター装置を屋外側から見た正面図、図２は窓シャッター装置の縦断面図、図３は図２の部分拡大図、図４は窓シャッター装置の横断面図（左側が窓開口部の上方の高さ位置、右側が窓開口部の高さ位置）である。窓シャッター装置は、建物の窓開口部に設置した窓装置（図２、図４に窓サッシ枠Ｓを示す）の屋外側に設けられる。窓シャッターの取付態様としては、シャッターを後付けする場合（外壁Ｗを仕上げた後でシャッターを取り付ける場合であり、図１〜図５、図７、図２２に示す）と、シャッターを先付けする場合（下地要素Ｗ´にシャッターを取り付けた後に外壁Ｗを仕上げる場合であり、図２３〜図２５、図２７に示す）がある点に留意されたい。また、本実施形態では、後付け仕様では、窓サッシ枠Ｓはアルミサッシ（図２、図４等参照）であり、先付け仕様では、窓サッシ枠Ｓは樹脂サッシ（図２３、図２５等参照）であるが、アルミサッシが先付け仕様であっても、樹脂サッシが後付け仕様であってもよい。本明細書において、窓シャッター装置が取り付けられる側を総称して「躯体」と呼び、躯体には、外壁Ｗ、下地要素Ｗ´、窓サッシ枠Ｓ等が含まれる。
【００１３】
窓シャッター装置は、窓開口部の上方に位置して、躯体（外壁Ｗ）に持ち出し状に取り付けられた左右のブラケット１と、左右のブラケット１間に支持された巻取シャフト２と、外壁Ｗに対して持ち出し状に取り付けられた左右のガイドレール下地枠３と、左右のガイドレール下地枠３に支持された左右のガイドレール４と、上端が巻取シャフト２に連結されたシャッターカーテン５であって、巻取シャフト２に巻き取られ／繰り出されることで、幅方向両端部がガイドレール４に案内されながら昇降して窓開口部の屋外側部位を開閉するシャッターカーテン５と、窓開口部の下方に位置して、躯体（外壁Ｗ）に持ち出し状に取り付けられた下枠（水切板）６と、を備えている。窓開口部の上方に位置して、左右のブラケット１及び巻取シャフト２に巻き取られたシャッターカーテン５を収納するようにシャッターケース７が設けられ、シャッターケース７の幅方向両端部に位置してブラケット１にはサイドキャップ８が被着される。後述するように、本実施形態では、サイドキャップ８は、本体部８´と、本体部８´に着脱可能な分割部９と、から構成されているが、サイドキャップ８は、一部材から一体形成されたものでもよい。
【００１４】
図９に示すように、ブラケット１は、垂直状の面部１０と、面部１０の傾斜状の上縁に沿って形成された上面１１と、面部１０の前縁（側面視凹部状）に沿って形成された上側前面１２、中間前面１３、下側前面１４と、面部１０の下縁に沿って形成された前側下面１５、中間下面１６、基端側下面１７と、面部１０の後縁に沿って形成された後面１８とからなる。中間前面１３は、ブラケット１の前縁の凹部の底面であり、下側前面１４の上端に形成された水平面１４０が凹部の下面を形成している。
【００１５】
図３、図４に示すように、ブラケット１は、後面１８を外壁Ｗに固定された引っ掛け金具２１に取り付けることで外壁Ｗに対して持ち出し状に設けられる。引っ掛け金具２１には、ブラケット１の面部１０に平行に延びる連結片２１０が形成されており、ブラケット１の面部１０と連結片２１０を螺子２１１（図３参照、図４では省略）によって固定することで、下方からの吹き上げ荷重に対抗するようにしている。
【００１６】
ブラケット１の面部１０の外面には、上側係止片１００、下側係止片１０１が形成されている。上側係止片１００は、水平片１０００と垂直状の立ち上がり片１００１から断面視Ｌ形状を備え、下側係止片１０１は、水平片１０１０と垂下片１０１１から断面視逆Ｌ形状を備えている。上側係止片１００、下側係止片１０１は、面部１０の一部を切り起して形成した切り起し片であり、面部１０には上側係止片１００、下側係止片１０１の切り起し時に形成された開口１００２、１０１２が形成されている。開口１００２、１０１２は、それぞれ、ブラケット１の面部１０の上端近傍、下端近傍で、ブラケット１の面部１０の前後方向の略中央に位置して形成されている。
【００１７】
駆動側のブラケット１の面部１０の内面の下方部位には、後側に寄った位置に開閉機Ｍを支持する取付台１９が固定されている。図１０に示すように、取付台１９は、方形状のベース１９０と、ベース１９０の第１辺から立ち上がる第１垂直片１９１と、ベース１９０の第２辺から立ち上がる第２垂直片１９２とからなる。第１垂直片１９１は、ベース１９０の第１辺から立ち上がる第１部分１９１０と、ベース１９０の第１辺を越えて延びる第２部分１９１１とから横長方形状の垂直面となっている。取付台１９は第１垂直片１９１を介してブラケット１の面部１０の内面に固定され、第２垂直片１９２に対して開閉機Ｍの一端側が取り付けられる。
【００１８】
上述のように、ブラケット１の面部１０には、サイドキャップ８を係止するための係止片（下側係止片１０１）が切り起し形成されることで、面部１０に開口１０１２が形成されており、シャッターケース内には、駆動側のブラケット１の面部１０に開閉機Ｍが固定されており、面部１０に形成された開口１０１２と当該面部１０に支持されている開閉機Ｍは近い位置にある。開閉機Ｍは、構成要素の一部に可燃要素である樹脂を含んでおり、また、開閉機Ｍは、機械要素間にグリスを有していることから、駆動側のブラケット１の面部１０の開口１０１２の近傍に位置して可燃要素が存在することになる。
【００１９】
取付台１９の第１垂直片１９１の第２部分１９１１は、下側係止片１０１が形成された部位を面部１０の内面から覆うように位置しており、第２部分１９１１の面部が開口１０１２の周囲の面部に当接することで、下側係止片１０１近傍の開口１０１２を塞いでいる。駆動側のブラケット１の面部１０の開口１０１２（可燃要素の近傍の開口）は、当該面部１０に設けられた取付台１９の第１垂直片１９１の第２部分１９１１（閉塞板材）によって塞がれている。よって、サイドキャップ８が燃え落ちた後に、ブラケット１の面部１０に形成された開口１０１２を通じて開閉機Ｍの樹脂材料が発炎することを防止することができる。
【００２０】
ガイドレール下地枠３は、窓開口部の高さ方向に垂直に延びる長尺部材であり、図５に示すように、外壁Ｗから離間するように見込方向に延びる側辺３０と、側辺３０の先端に係止された係止部３１と、側辺３０の先端側部位３００において見付方向に延びる先端側見付片３２と、先端側見付片３２から見込方向に延びる連結片３３と、側辺３０の基端側で先端側見付片３２と反対側に延びる第１基端側見付辺３４と第１基端側見付辺３４と反対側（先端側見付片３２と同じ側）に延びる第２基端側見付辺３５と、を備えている。ガイドレール下地枠３の上端には、シャッターカーテン５の全開時にシャッターカーテン５の下端部位に設けたブロック状の当接部５２が当接するストッパ３９（図２、図１１参照）が取り付けられている。
【００２１】
図４、図５に示すように、ガイドレール下地枠３は、第１基端側見付辺３４を外壁Ｗに当接させた状態で、第１基端側見付辺３４を螺子３６で外壁Ｗに固定することで取り付けられている。第２基端側見付辺３５の裏面には難燃性ないし不燃性の熱膨張耐火部材３７が高さ方向に亘って（熱膨張耐火部材３７が設けられる位置は、高さ方向の一部、例えば、下方部位のみであってもよく、全高であってもよい）設けてある。第１基端側見付辺３４が外壁Ｗに当接した状態において、第２基端側見付辺３５は外壁Ｗに対して離間対向しており、第２基端側見付辺３５の裏面と外壁Ｗの間には隙間（空間）が形成されており、かかる空間に第２基端側見付辺３５の裏面に設けた熱膨張耐火部材３７が位置している。第２基端側見付辺３５の裏面には、熱膨張耐火部材３７の外側に位置して水密部材３８が高さ方向に亘って設けてあり、第２基端側見付辺３５と外壁Ｗとの隙間を高さ方向に亘って塞いでいる。水密部材３８（ガイドレール下地枠３が外壁Ｗに取り付けられた状態）は、発泡前の熱膨張耐火部材３７よりも大きい厚さを備えており、第２基端側見付辺３５の裏面と外壁Ｗの間に熱膨張耐火部材３７を発泡可能な状態で収容する隙間（空間）を形成している。
【００２２】
熱膨張耐火部材３７は、高さ方向に延びる長尺状の板体ないしシート体であり、窓開口部全閉状態において、火災時に熱膨張耐火部材３７が所定温度以上に加熱されると、熱膨張耐火部材３７は発泡・膨張し、ガイドレール下地枠３の熱変形等に伴って側辺３０の基端側部位と外壁Ｗとに形成され得る隙間を高さ方向に亘って閉塞し、ガイドレール下地枠３と外壁Ｗとの間からの火の回りを防止してガイドレール下地枠３の基端側部位の防火性能を確保する。水密部材３８は、典型的にはゴム材料から形成された水密ゴムであり、このような水密部材の材料は当業者において公知であるので詳細な説明は省略する。水密部材３８は、第２基端側見付辺３５と外壁Ｗの間の隙間に雨水が浸水することを防止し熱膨張耐火部材３７が水と直接接触することを可及的に防止している。
【００２３】
ガイドレール４は、窓開口部の高さ方向に垂直に延びる長尺部材であり、躯体（外壁Ｗ）から遠い側の側辺（屋外側見付辺）４０と、躯体（外壁Ｗ）に近い側の側辺４１と、底辺４２と、から平面視略コ字状の形状を有しており、対向する側辺４０、４１間にシャッターカーテン５の幅方向両端部を受け入れて上下方向に案内するガイド溝４５が形成されている。より詳しくは、図５に示すように、側辺４０、４１の先端には、先端側見込部４００、４１０が対向して突成されており、先端側見込部４００、４１０には消音材（図示せず）が対向状に設けられ、消音材間にガイド溝４５の開口が形成されている。ガイドレール４は開口全高に対応する高さを備えており、下枠６の下端（底辺６２）からシャッターケース７に達するまで垂直状に延びている。ガイドレール４の側辺４０、４１の上端部位４０１、４１１は拡開状に形成されており、シャッターケース７の下方部位内に延出している。
【００２４】
ガイドレール４の底辺側にはガイドレール下地枠３の係止部３１に係止する係止部４３及びガイドレール下地枠３の連結片３３に連結する連結片４４が一体形成されている。より詳しくは、側辺４１の基端側は、底辺４２を越えて、窓開口部から離れるように延びる延出辺４１´が形成されており、ガイドレール４の底辺４２には、躯体（外壁Ｗ）側に向かって、窓開口部から離れる方向に平面視傾斜状に延びる外側底辺４２´が形成されており、外側底辺４２´が側辺４１の延出辺４１´の先端側部位を支持している。延出辺４１´の先端には、係止部４３が一体形成されている。延出辺４１´には、底辺４２寄りに位置して、躯体（外壁Ｗ）に向かって延びる連結片４４が一体形成されている。ガイドレール下地枠３に連結されて支持されたガイドレール４は当業者において良く知られており、ガイドレール下地枠３とガイドレール４の連結は図示の態様に限定されるものではない。
【００２５】
シャッターカーテン５は、開口幅方向に延びる長尺状のスラット５０を上下に連結して形成されており、下端の座板５１の幅方向両端部にはブロック状の当接部５２が設けてある。シャッターカーテン５は、スラット５０の幅方向両端部がガイドレール４の溝部に案内されながら昇降して開口部を開閉する。開口部全開時にはシャッターカーテン５の下端の座板５１に設けた当接部５２がガイドレール下地枠３の上端部位に設けたストッパ３９に当接する。開口部全閉時にはシャッターカーテン５の下端の座板５１の下方部位が下枠６の先端側の凹部６００にあいじゃくり状に受け入れられる。
【００２６】
本実施形態では、ガイドレール下地枠３は基端側において外壁Ｗ（躯体）に固定されており、また、下端において下枠６に螺子（図示せず）によって連結されているが、風圧によってガイドレール下地枠３の先端側が外側に変形すると、スラット５０がガイドレール４の溝部から抜け出てしまうおそれがある。本実施形態では、ガイドレール下地枠３の外側への変形を規制して耐風圧性能を向上させるべく、ブラケット１の下端部位にガイドレール下地枠３の上端部位の変形を規制する下地枠規制構造を設けた。下地枠規制構造は、ブラケット１の下端に設けられ、ガイドレール下地枠３の上端よりも下方に延びる下地枠規制片１７０と、ガイドレール下地枠３の先端側に設けられた、下地枠規制片１７０の被当接部（先端側部位３００、連結片４４）と、下地枠規制片１７０が被当接部に当接することで、ガイドレール下地枠３及びガイドレール４の左右方向の振れを規制している。本実施形態では、ガイドレール下地枠３はアルミサッシ用、樹脂サッシ用の２種類が用いられ、図１４にアルミサッシ用の下地枠規制構造、図１５に樹脂サッシ用の下地枠規制構造を示す。
【００２７】
図１４に示す態様では、ブラケット１の下端部位の基端側下面１７の先端には垂下状の下地枠規制片１７０が形成されている。ブラケット１の下端とガイドレール下地枠３の上端は当接しており、下地枠規制片１７０は、ガイドレール下地枠３の側辺３０の先端側部位３００と連結片３３と先端側見付片３２で囲まれた平面視コ字状の溝部内に先端側部位と連結片３３に垂直で先端側見付片３２に平行して位置している。下地枠規制片１７０の幅方向一端は先端側部位３００に近接しており、他端は連結片３３に近接している。実際には、ガイドレール下地枠３とガイドレール４が連結された状態において、ガイドレール下地枠３の連結片３３の内側にはガイドレール４の連結片４４が位置する（図１２参照）。風圧を受けてガイドレール下地枠３の上端部位が外側に開くように変形しようとすると、下地枠規制片１７０の幅方向一方の端部が連結片４４の内面に当接することで、ガイドレール下地枠３の上方部位の外側への移動が規制される。ガイドレール下地枠３の上方部位の内側への変形も下地枠規制片１７０によって規制され得る。
【００２８】
図１５に示す態様では、ブラケット１の面部１０の下端部位の所定位置に下地枠規制金具１７´が取り付けられており、下地枠規制金具１７´にはブラケット１の下端から下方に延びる垂下状の下地枠規制片１７０´が形成されている。ブラケット１の下端とガイドレール下地枠３の上端は当接しており、下地枠規制片１７０´は、ガイドレール下地枠３の側辺３０の先端側部位３００と連結片３３と先端側見付片３２で囲まれた平面視コ字状の溝部内に先端側部位と連結片３３に垂直で先端側見付片３２に平行して位置している。下地枠規制片１７０´の幅方向一端は先端側部位３００に近接しており、他端は連結片３３に近接している。実際には、ガイドレール下地枠３とガイドレール４が連結された状態において、ガイドレール下地枠３の連結片３３の内側にはガイドレール４の連結片４４が位置する（図１２参照）。風圧を受けてガイドレール下地枠３の上端部位が外側に開くように変形しようとすると、下地枠規制片１７０´の幅方向一方の端部が連結片４４の内面に当接することで、ガイドレール下地枠３の上方部位の外側への移動が規制される。ガイドレール下地枠３の上方部位の内側への変形も下地枠規制片１７０´によって規制され得る。
【００２９】
ブラケット１の面部１０の下端（基端側下面１７）とガイドレール下地枠３の上端（側辺３０の上端３０´であり、上端３０´には先端側部位３００の上端を含む）とは当接しており（図１１、図１２参照）、ブラケット１の面部１０の外面とガイドレール下地枠３の側辺３０の外面は同一垂直面上に位置している（図４、図８、図１１参照）。ブラケット１の面部１０の外面の下端部位には、ブラケット１の面部１０の下端部位とガイドレール下地枠３の側辺３０の上端部位に跨るようにカバープレート２０が設けてあり、カバープレート２０によって、ブラケット１の面部１０の基端側下面１７とガイドレール下地枠３の側辺３０の上端３０´の当接部位を側方から塞いでいる。カバープレート２０は、左右のブラケット１の下端部位と左右のガイドレール下地枠３の上端部位に跨るように左右両側に設けられる。カバープレート２０は、ブラケット１の面部１０の下端とガイドレール下地枠３の上端の当接部位に形成し得る防火上不利な隙間を塞ぐことができる。
【００３０】
図１３に示すように、カバープレート２０は、水平状に延びる上縁２００、水平状に延びる下縁２０１、基端側縦縁２０２、先端側縦縁２０３から形成された横長のプレートであり、上半部には、カバープレート２０をブラケット１の面部の外側の下端部位に固定する螺子２０５用の孔２０４が形成されている。カバープレート２０の上縁２００の先端側の半円状の切欠き２０６は下地枠規制片１７１´（図１５参照）を固定するための螺子を逃がすための切り欠きである。
【００３１】
本実施形態では、図１１右図に示すように、ブラケット１の面部１０の外面とガイドレール下地枠３の側辺３０の外面が同一垂直面上にあり、カバープレート２０は、垂直姿勢でブラケット１の面部１０の外面の下端部位とガイドレール下地枠３の側辺３０の外面の上端部位間に跨るように延びている。なお、ブラケット１の面部１０の外面とガイドレール下地枠３の側辺３０の外面が同一垂直面上に無い場合には、カバープレート２０の形状は、上記２つの外面の沿うような断面形状（例えば、ブラケット１の面部１０の外面に当接する上側垂直面、ガイドレール下地枠３の側辺３０の外面に当接する下側垂直面、上側垂直面の下端と下側垂直面の上端を連結する中間水平面）となる。
【００３２】
カバープレート２０は、ブラケット１の面部１０の基端側下面１７とガイドレール下地枠３の側辺３０の上端３０´の当接部位を略全幅に亘って覆い、さらに、カバープレート２０の先端側は、ブラケット１の下端とガイドレール下地枠３の上端との当接部位を越えてガイドレール４の上端部位にまで延びており、カバープレート２０の基端側縦縁２０２は、躯体（外壁Ｗ）に近接している。本実施形態では、ブラケット１の前側下面１５は、ブラケット１の面部１０の基端側下面１７とガイドレール下地枠３の側辺３０の上端３０´の当接部よりも下方に位置しており、カバープレート２０の下縁２０１は、ブラケット１の前側下面１５と略同じ高さに位置する。図３に示すように、カバープレート２０の下縁２０１は、サイドキャップ８の下面（前側下縁部８５と後側下縁部８６）よりも上方に位置しており、カバープレート２０は、ブラケット１に被着されるサイドキャップ８によって隠蔽され、外部に露出することがない。
【００３３】
下枠６は、開口部の幅方向に延びる長尺枠体であって、図２、図６に示すように、下枠６は、外壁Ｗから離間する方向に下向き傾斜状に延びる上面６０と、上面６０の先端の垂下辺６１、底辺６２、立ち上がり辺６３と、上面６０の基端側で上方に延びる基端側上辺６４と、上面６０の基端側で下方に延びる基端側下辺６５と、上面６０の下面と基端側下辺６５を連結する傾斜状の連結辺６６と、からなる。下枠６の先端側には上面６０の先端の垂下辺６１、底辺６２、立ち上がり辺６３から凹部６００が形成されており、開口部全閉時にはシャッターカーテン５の下端の座板５１の下方部位が下枠６の先端側の凹部６００にあいじゃくり状に受け入れられる（図２）。
【００３４】
下枠６の上面６０の基端側は、基端側上辺６４を越えて突出しており、上側当接部６４０が形成されており、連結辺６６の基端側は基端側下辺６５を越えて突出しており、下側当接部６６０が形成されている。上側当接部６４０と下側当接部６６０の先端は、同一垂直面上に位置している。図２に示すように、下枠６は、基端側上辺６４の上側当接部６４０と下側当接部６６０の先端を外壁Ｗに当接させた状態で、基端側上辺６４を螺子６７で外壁Ｗに固定することで取り付けられている。
【００３５】
上側当接部６４０、下側当接部６６０、基端側下辺６５から空間が形成されており、基端側下辺６５の裏面には難燃性ないし不燃性の熱膨張耐火部材６８が下枠６の幅方向に亘って設けてある。基端側上辺６４の裏面には水密部材６９が下枠６の幅方向に亘って設けてある。図２に示すように、下枠６が外壁Ｗに取り付けられた状態では、基端側上辺６４と外壁Ｗの間に位置して水密部材６９が圧縮されており、基端側下辺６５の裏面と外壁Ｗの間には、熱膨張耐火部材６８の発泡を許容する隙間（空間）が形成されている。
【００３６】
熱膨張耐火部材６８は、幅方向に延びる長尺状の板体ないしシート体であり、窓開口部全閉状態において、火災時に熱膨張耐火部材６８が所定温度以上に加熱されると、熱膨張耐火部材６８は発泡・膨張し、下枠６の熱変形等に伴って基端側部位と外壁Ｗとに形成され得る隙間を幅方向に亘って閉塞し、下枠６と外側Ｗとの間からの火の回りを防止して下枠６の基端側部位の防火性能を確保する。水密部材６９は、典型的にはゴム材料から形成された水密ゴムであり、このような水密部材の材料は当業者において公知であるので詳細な説明は省略する。水密部材６９は、基端側上辺６４と外壁Ｗの間の隙間に雨水が浸水することを防止し熱膨張耐火部材６８が水と直接接触することを可及的に防止している。また、水密部材６９は、基端側上辺６４の上端部位に位置し、また、熱膨張耐火部材６８の上側に位置しており、下枠６の下面が下方から火災の熱に晒された時に、熱膨張耐火部材６８が基端側下辺６５の裏面と外壁Ｗの間で発泡することで、外部で発生した火炎が水密部材６９に引火することを防止している。
【００３７】
図３、図２２、図２７に示すように、シャッターケース７は、上面７０と、上側前面７１と、下側前面７２と、下面７３とを備え、ブラケット１の外形に沿った断面形状となっている。本実施形態では、シャッターケース７は、上面７０と上側前面７１からなる上側の第１部分（上板）７Ａと、下側前面７２と下面７３からなる下側の第２部分（下板）７Ｂとから分割可能に構成されている。シャッターケース７が設置された状態において、躯体に連結された上板７Ａに対して下板７Ｂが脱着可能となっており、下板７Ｂを上板７Ａから取り外すことで、いわゆる巻取シャフト２や開閉機Ｍのメンテナンスを行うようになっている。
【００３８】
上面７０は外壁Ｗから離間する方向に下向き傾斜状に延び、基端側には垂直状の立ち上がり辺７００が形成されている。上面７０は立ち上がり辺７００を外壁Ｗへ当接させた状態で螺子７０１によって外壁Ｗ（躯体）に連結される。上面７０の前端側は螺子７０２によってブラケット１の上面１１に固定されている。上側前面７１は垂直面であり、ブラケット１の上側前面１２にリベット７０３等の固定具に固定されている。上側前面７１の下端には内側（基端側ないし躯体側）に向かって折り返してなる「レ」状の被係止片７１０が形成されている。
【００３９】
下側前面７２は垂直面であり、上端には内側（基端側ないし躯体側）に向かって延びる水平片７２０、水平片７２０から垂直状に立ち上がる立ち上がり片７２１、立ち上がり片７２１の上端から外側に向かって折り返してなる逆「レ」状の係止片７２２が形成されている。下面７３は水平面であり、躯体側の端部には立ち上がり片７３０が形成されている。下板７Ｂは、係止片７２２を上板７Ａの被係止片７１０に引っ掛けることで、上板７Ａから吊持させ、下板７Ｂの下面７３をブラケット１の前側下面１５に下側から当接させた状態でブラケット１にサイドキャップ８を被着させ、ブラケット１の前側下面１５を覆うサイドキャップ８の前側下縁部８５から螺子８５２に連結されている。上面７０において、躯体に螺子７０１で固定され、ブラケットの上面１１に螺子７０２で固定された上板７Ａに対して、下板７Ｂの上側部位を係止させ、下側部位をブラケット１に固定することで、シャッターケース７を形成するようになっている。
【００４０】
左右のブラケット１の面部１０の前側かつ上側間には上側ケースアングル材７４（図３参照）が設けてあり、シャッターケース７の上面７０の先端側部位が支持されている。本実施形態では、下側ケースアングル材は設けられておらず、シンプルな構造となっている。開閉機Ｍの近傍にケースアングル材が無いので、開閉機Ｍのメンテナンス性が向上する。
【００４１】
シャッターケース７は、さらに、裏面ケース７５を備えている。裏面ケース７５はシャッターケース７の基端側に位置して外壁Ｗに近接して沿って延びる後面７５０（図示の態様では、側面視傾斜状に延びている）と、後面７５０の上端から傾斜状に延びる上面７５１と、後面７５０の下端の水平状の下面７５２と、下面７５２の先端の立ち上がり辺７５３を備えている。上面７５１の幅方向両端部は、ブラケット１の上端の上面１１に連結されており、下面７５２の幅方向両端部は、ブラケット１の下端の基端側下面１７に連結されている。裏面ケース７５の下面７５２には、開閉機Ｍの他端の支持部２２が設けられ、また、ＨＥＭＳ電源装置２３が設けられる。
【００４２】
図１６に示すように、サイドキャップ８は、ブラケット１に被着された状態で上下方向かつ前後方向に延びる面部８０と、ブラケット１の周縁及びシャッターケース７の幅方向両端の外面を覆う上側縁部８１、上側前縁部８２、前側凹部８３、下側前縁部８４、前側下縁部８５、後側下縁部８６、外壁Ｗに近接する後縁部８７を備えている。上側縁部８１がサイドキャップ８の上面を形成しており、前側下縁部８５と後側下縁部８６からサイドキャップ８の下面が形成されている。
【００４３】
サイドキャップ８の面部８０の内側には、上下に離間して上側係止片８００、下側係止片８０１が形成されており、上側係止片８００、下側係止片８０１をそれぞれブラケット１の上側係止片１００、下側係止片１０１にスライド係止させることで、サイドキャップ８はブラケット１に被着される。サイドキャップ８の面部８０の内側には縦横方向に延びる補強リブ８０２、８０３、８０４、８０５、８０６が形成されている。補強リブ８０２、８０６が垂直補強リブであり、補強リブ８０３、８０４、８０５が水平補強リブである。本実施形態では、サイドキャップ８をブラケット１に被着した時に、補強リブ８０２、８０３、８０４、８０５、８０６の先端縁がブラケット１の面部１０に当接するようになっている。
【００４４】
サイドキャップ８の前側かつ下側に位置する部位は、当該サイドキャップ８の面部８０及び縁部の一部（前側凹部８３、下側前縁部８４、前側下縁部８５）を形成する分割部９となっており、分割部９は、分割部９以外の本体部８´に対して着脱可能に構成されている。すなわち、サイドキャップ８は、本体部８´と本体部８´に着脱可能な分割部９とから構成されている。
【００４５】
図１７に示すように、本体部８´は、サイドキャップ８の前側かつ上側に位置する前側部位８Ａと、前側部位８Ａ以外の後側部位８Ｂとからなり、前側部位８Ａの下方かつ後側部位８Ｂの下側部位の前方の空間（切り欠き部位）に分割部９が脱着可能に取り付けられる。本体部８´は、面部８０から分割部９を除いた部位である面部８０´を備え、サイドキャップ８の上側縁部８１、上側前縁部８２、後側下縁部８６、後縁部８７を有している。
【００４６】
本体部８´の前側部位８Ａは、面部８０´の前側部位と、上側縁部８１の前側部位と、上側前縁部８２と、下端部８８とを備えている。上側縁部８１の基端側には垂直状に延びる立ち上がり辺８１０が一体形成されており、上側縁部８１の前方部位にはシャッターケース７の上板７Ａの上面７０を固定する螺子７０２の孔部８１１が形成されている。
【００４７】
前側部位８Ａの下端部８８は、水平状の縁部８８０と、縁部８８０の内面から下方に突出する突片８８１とを備えている。突片８８１の側面（面部）には、孔部を備えた筒状部８８２が内側に突成されている。本実施形態では、筒状部８８２の先端縁と補強リブ８０２の先端縁は同一面上に位置するようになっている（図１７参照）。サイドキャップ８をブラケット１に被着した状態では、筒状部８８２がブラケット１の面部１０の外面に、筒状部８８２の孔部が面部１０に形成した螺子孔８８４（図３参照）に一致して当接するようになっており、筒状部８８２の孔部から差し入れた螺子８８３によって、前側部位８Ａの下端の突片８８１をブラケット１の面部１０に固定する（図２０左図参照）。サイドキャップ８の本体部８´の前側部位８Ａの下端（分割部９の上端との接続部）をブラケット１の面部１０に固定することで、前側部位８Ａの下端が外側に開くように変形することが防止され、サイドキャップ８が折れるように変形（前側部位８Ａと分割部９が正面から見てく字状に変形）することを防止する。
【００４８】
本体部８´の後側部位８Ｂは、面部８０´の後側部位と、上側縁部８１の後側部位と、面部８０´の下側部位の前端部８９と、後側下縁部８６と、後縁部８７を備えている。後側部位の前端部８９は、縦方向の補強リブの１つによって形成された垂直状の端縁８９０と、端縁８９０から前方に突成された薄肉の縁部８９１とを備えている。
【００４９】
図１８に示すように、分割部９は、面部８０の一部を形成する分割面部９０を備えており、サイドキャップ８の前側凹部８３、下側前縁部８４、前側下縁部８５を有している。分割面部９０は、上端部９１と、後端部９２と、前端部（前側凹部８３、下側前縁部８４）、分割下縁部（前側下縁部８５）とを備えている。分割部９が本体部８´に装着された状態において、分割面部９０の上端部９１の縁部９１０の上面が本体部８´の前側部位８Ａの下端部８８の縁部８８０の下面に当接し、分割面部９０の後端部９２の内面が本体部８´の後側部位８Ｂの前端部８９の縁部８９１の外面に当接する。なお、前側凹部８３は、上側前縁部８２、下側前縁部８４が形成する垂直面に対して凹んだ部位であり、垂直状の底片８３０と、底片８３０の下端から下側前縁部８４の上端に向かって水平に延びる下側水平片８３１と、底片８３０の上端から下側水平片８３１と平行状に延びる上側水平片８３２とからなり、分割部９を本体部８´に装着した状態において、上側水平片８３２の先端は、本体部８´の上側前縁部８２の下端の内面に当接しており、この当接部（接続部）は前側凹部８３の上端部位（上側水平片８３２）と同一高さ（上側前縁部８２の下端と上側水平片８３２の下面が同面）にあることから外部から目立たない。
【００５０】
図１８、図２０右図に示すように、分割部９の上端部９１は、水平状に延びる縁部９１０と、縁部９１０から上方に突出する突片９１１とを備えている。分割面部９０の上端部位において、前側凹部８３に対応する高さに位置する上側部位９１２は、分割面部９０に対して内側へ凹んだ部位となっており、上側部位９１２の上端が縁部９１０となっており、突片９１１は上側部位９１２の内面から上方に突出している。突片９１１は楔形状を備えており、基端側には縁部９１０に近接して係止部９１１０が形成されている。
【００５１】
図２０右図に示すように、分割部９が本体部８´に装着された状態において、分割部９の上端部９１に形成された突片９１１が本体部８´の前側部位８Ａの内側（縁部８８０の内面）に当接し、本体部８´の前側部位８Ａの下端部８８に形成された突片８８１が分割部９の内側（上側部位９１２の内面）に当接する。分割部９が本体部８´に装着された状態において、突片９１１の係止部９１１０が前側部位８Ａの下端部８８の縁部８８０に係止するようになっている。分割部９が本体部８´に装着された状態において、サイドキャップ８の側面（面部８０の外面）には分割部９の上側部位９１２によって側面視水平状の凹部８３´が形成されており、凹部８３´は、サイドキャップ８の側面（面部８０の外面が形成する垂直面）に対して凹んだ部位であり、サイドキャップ８の前側凹部８３と同じ高さ幅を備えており、前側凹部８３、凹部８３´がサイドキャップ８の側面から前面に亘って連続状に形成されている。
【００５２】
分割部９の分割下縁部（前側下縁部８５）の前側には孔部８５０が形成されている。サイドキャップ８がブラケット１に被着された状態において、孔部８５０を通る螺子８５２によって、分割部９及び下板７Ｂの下面７３をブラケット１の前側下面１５に固定する。
【００５３】
分割下縁部（前側下縁部８５）の後側は幅狭となっており、後端８５３には上方へ突出する係止突片８５１が形成されている。本体部８´の後側部位８Ｂの前端部８９の下端には、垂直状の端縁８９０の下端と後側下縁部８６の前端との間に位置して係止受部８９２が形成されており、分割部９が本体部８´に装着される時に、分割部９の係止突片８５１が本体部８´の係止受部８９２に嵌合し、分割部９の係止突片８５１の外側の縁部８５１０が本体部８´の面部８０´の内面に当接することで、本体部８´に対して分割部９が位置決め固定され、前側下縁部８５の後端８５３と後側下縁部８６の前端８６０が当接している（図２１参照）。
【００５４】
前側下縁部８５には、前側に位置して、分割面部９０から離間する方向に突出する突出部８５´が一体形成されている。突出部８５´は平面視方形状であり、先端縁（後述する第５縁）８５０´と左右の側縁（後述する第４縁、第６縁）８５１´、８５２´とを備えている。図１８に示すように、前側下縁部８５の縁は、後端８５３から平面視において分割面部９０に平行に延びる第１縁８５４、第１縁８５４から平面視傾斜状（前方に向かって分割面部９０から離間する方向）に延びる第２縁８５５、第２縁８５５から分割面部９０に平行に延びる第３縁８５６、第３縁８５６から平面視において分割面部９０に垂直に分割面部９０から離間する方向に延びる第４縁８５１´、第４縁８５１´の先端から平面視において分割面部９０に平行に延びる第５縁８５０´、第５縁８５０´から第４縁８５１´に平行に延びる第６縁８５２´、第６縁８５２´の基端から平面視において分割面部９０に平行に延びる第７縁８５７とからなる。
【００５５】
本実施形態では、サイドキャップ８の下面は、分割部９の前側下縁部８５と、本体部８´の後側下縁部８６とからなり、前側下縁部８５の後端８５３と、後側下縁部８６の前端８６０が当接している。後側下縁部８６は、平面視において面部８０に対して平行に延びる側縁８６１を備えている。図５、図１８に示すように、サイドキャップ８の下面（前側下縁部８５、後側下縁部８６）の縁部は、ガイドレール下地枠３、ガイドレール４に近接している。具体的には、側縁８６１がガイドレール下地枠３の側辺３０の外面に近接しており、第１縁８５４がガイドレール下地枠３とガイドレール４の係止部に近接しており、第２縁８５５が外側底辺４２´に近接しており、第３縁８５６が底辺４２に近接しており、第４縁８５１´がガイドレール４の側辺４０の外面に近接している。本実施形態では、サイドキャップ８の下面の突出部８５´が、ガイドレール４の屋外側見付辺４０とシャッターケース７の下面７３との間の隙間を塞いでいるので、シャッターケース７の下面７３の幅方向両端部から躯体側への浸水を可及的に防止することができる。また、サイドキャップ８の下面の突出部８５´が、ガイドレール４の屋外側の見付辺４０の拡開状の上端部位４０１を下方から隠蔽するので、外観上良好である。なお、ガイドレール４の屋外側見付辺４０とシャッターケース７の下面７３との間の隙間を塞ぐ手段としては、サイドキャップ８の下面に突出部８５´を形成することに代えて、下面７３に一体的あるいは別体で突出部（図示せず）を設けること、あるいは、ガイドレール４に別部材からなる突出部（図示せず）を設けることが挙げられる。
【００５６】
図５に示すように、サイドキャップ８の下面（前側下縁部８５、後側下縁部８６）は、ガイドレール下地枠３に近接する躯体側部位αと、躯体側部位αに対して屋外側に位置する屋外側部位βと、からなり、屋外側部位βは、ガイドレール４（屋外側見付辺４０）を越えて屋外側に延びる先端側部位β１を有しており、先端側部位β１には、ガイドレール４の屋外側見付辺４０の全面の屋外側に位置するように開口部中央に向かって延びる突出部８５´が形成されている。突出部８５´の側縁８５１´とガイドレール４の屋外側見付辺４０は対向近接しており、突出部８５´の先端縁８５０´とガイドレール４の見込面（ガイド溝４５の開口が形成されている先端側見込部４００、４１０）が一致している。屋外側部位βは、先端側部位β１と躯体側部位αとの間に位置し、ガイドレール４の底側部位（外側底辺４２´、底辺４２の部分）に近接する部位β２を有している。
【００５７】
図５に示す実施形態では、サイドキャップ８の下面は、前側下縁部８５と後側下縁部８６から形成されており、サイドキャップ８の下面の屋外側部位βは、分割部９の下面（前側下縁部８５）から形成されており、サイドキャップ８の下面の躯体側部位αは、本体部８´の下面（後側下縁部８６）から形成されている。図２４に示す実施形態では、サイドキャップ８の下面は、前側下縁部８５と後側下縁部８６から形成されており、サイドキャップ８の下面の屋外側部位βは、分割部９の下面（前側下縁部８５）から形成されており、サイドキャップ８の下面の躯体側部位αは、分割部９の下面（前側下縁部８５）の一部及び本体部８´の下面（後側下縁部８６）から形成されている。図５、図２４は例示であって、例えば、サイドキャップ８の下面を一部材から形成してもよい。
【００５８】
サイドキャップ８の面部８０の内面はブラケット１の面部１０の外面に対向しており、サイドキャップ８の面部８０の内面の少なくとも下方部位とブラケット１の面部１０の外面との間には、高さ方向に延びる当接部材としての水密部材８０７が設けてあり、水密部材８０７は、サイドキャップ８の面部８０の内面の少なくとも下方部位及びブラケット１の面部１０の外面に当接している。本実施形態では、水密部材８０７は、躯体側に寄った位置において、最下位の水平状の補強リブ８０５と後側下縁部８６の間に亘って、サイドキャップ８の面部８０の内面に固定されている（図１６、図１９（Ｃ）参照）。図２４Ａ（Ａ）に示すように、水密部材８０７は、外壁Ｗとの境界に位置して（図２４Ａ（Ｂ）参照）、サイドキャップ８の面部８０の下方部位とブラケット１の面部、ガイドレール下地枠３の側辺３０の面部との間に亘って位置しており、水密部材８０７によって、サイドキャップ８の下面（後側下縁部８６）と、ガイドレール下地枠３の側辺３０の面部及びブラケット１の面部との間に浸水した雨水が、躯体側へ浸水することを防止する。下方からの吹込み等によって、図２４Ａ（Ｂ）の矢印に示すように、サイドキャップ８の下面（後側下縁部８６）とガイドレール下地枠３の側辺３０との隙間から雨水が浸水した場合であっても、水密部材８０７は、浸水した雨水が、躯体側へ浸水することを防止する。また、最下位の水平補強リブ８０５は、下方からサイドキャップ８の下面とブラケット１の面部との間に浸水した雨水が水密部材８０７の裏側（躯体側）に上方から回り込むように浸水することを防止する。
【００５９】
図１、図４に示すように、ガイドレール下地枠３と外壁Ｗとの固定部位に位置して、高さ方向に延びる長尺状のカバー体２４が装着されている。カバー体２４は、ガイドレール下地枠３の第１基端側見付辺３４を外壁Ｗに固定する螺子３６を覆うように高さ方向に亘って設けられる。カバー体２４は、シャッターが後付けされる場合に使用され、シャッターが先付けされる場合には、壁を仕上げる際に螺子３６が壁に覆われるので使用されない。図２２に示すように、カバー体２４はガイドレール下地枠３の側辺３０及びサイドキャップ８の本体部８´の側面（面部８０´）に沿って延びており、側辺３０に固定した取付片２５に対して取り付けられている。図４、図５に示すように、サイドキャップ８に対応する部位２４´においては、カバー体２４の一部が切り欠かれていると共に、面部８０´の外面の後側の凹部２６内に沿って延びている。図５、図２２に示す態様では、水密部材８０７は、カバー体２４の屋外側部位に対応して位置している。図２４、図２７に示す態様では、水密部材８０７は、外壁Ｗと屋外側部位の境界に対応して位置している。
【００６０】
図２３〜図２５、図２７に、シャッターを先付けする場合（窓サッシ枠Ｓは樹脂サッシである）の構成が示してあり、下地要素Ｗ´にシャッターを取り付けた後に外壁Ｗを仕上げている。外壁Ｗと窓シャッター構成要素（サイドキャップ８、ガイドレール下地枠３等）との境界にはコーキングＤが設けてある。窓シャッター装置の基本的な構成は、以下の下枠６の構成を除いて、既述のシャッターを後付けする場合と同様であり、同一の参照番号が付された要素の説明については、既述の記載を援用することができる。
【００６１】
下枠６の基端側部位の構成及び躯体への取付構成について説明する。下枠６は、開口部の幅方向に延びる長尺枠体であって、図２５、図２６に示すように、下枠６は、外壁Ｗから離間する方向に下向き傾斜状に延びる上面６０と、上面６０の先端の垂下辺６１、底辺６２、立ち上がり辺６３と、上面６０の基端側で上方に延びる基端側上辺６４と、上面６０の基端側で下方に延びる基端側下辺６５と、基端側下辺６５に対してさらに基端側に位置して下方に延びる取付用基端側下辺６５´と、上面６０の下面と基端側下辺６５を連結する傾斜状の連結辺６６と、からなる。下枠６の先端側には上面６０の先端の垂下辺６１、底辺６２、立ち上がり辺６３から凹部６００が形成されており、開口部全閉時にはシャッターカーテン５の下端の座板５１の下方部位が下枠６の先端側の凹部６００にあいじゃくり状に受け入れられる。
【００６２】
下枠６の基端側上辺６４と基端側下辺６５は同一垂直面を形成しており、基端側上辺６４の裏面には水密部材６９が下枠６の幅方向に亘って設けてあり、基端側下辺６５の裏面には熱膨張耐火部材６８が下枠６の幅方向に亘って設けてある。取付用基端側下辺６５´は、基端側下辺６５よりも基端側に位置して垂下しており、裏面には上側当接部６５０´、下側当接部６５１´が形成されている。上側当接部６５０´と下側当接部６５１´の先端は、同一垂直面上に位置している。図２５に示すように、下枠６は、取付用基端側下辺６５´の上側当接部６５０´と下側当接部６５１´の先端を外壁Ｗに当接させた状態で、取付用基端側下辺６５´を螺子６７で下地要素Ｗ´に固定することで取り付けられており、下地要素Ｗ´上に外壁Ｗが設けられており、下枠６の基端側の下方部位が外壁Ｗ内に埋設されている。下枠６の基端側部位の躯体への固定位置を、基端側部位の下方部位とすることで、下枠６の基端側上辺６４の立ち上がり寸法を小さくし、下枠６の上面６０の位置をより高い位置として、座板錠５３の操作性を向上させている。
【００６３】
図２５に示すように、下枠６が下地要素Ｗ´に取り付けられた状態では、基端側上辺６４と躯体（下地要素Ｗ´上に位置する窓サッシ枠Ｓの部分）の間に位置して水密部材６９が圧縮されており、基端側下辺６５の裏面と躯体（下地要素Ｗ´上に位置するサッシＳの部分）の間には、熱膨張耐火部材６８の発泡を許容する隙間（空間）が形成されている。取付用基端側下辺６５´は、基端側上辺６４と基端側下辺６５よりも下側に位置しており、熱膨張耐火部材６８は、固定手段としての螺子６７の上側に位置しており、熱膨張耐火部材６８及び螺子６７は、上面６０の高さ位置よりも下側に位置している。下枠６が躯体に取り付けられた状態において、下枠６の基端側部位と躯体の間には、熱膨張耐火部材６８の上側に位置して、水密部材６９が設けてある。
【００６４】
熱膨張耐火部材６８は、幅方向に延びる長尺状の板体ないしシート体であり、窓開口部全閉状態において、火災時に熱膨張耐火部材６８が所定温度以上に加熱されると、熱膨張耐火部材６８は発泡・膨張し、下枠６の熱変形等に伴って基端側部位と外壁Ｗとに形成され得る隙間を幅方向に亘って閉塞し、下枠６と外側Ｗとの間からの火の回りを防止して下枠６の基端側部位の防火性能を確保する。特に、本実施形態では、下枠６の基端側部位は下方部位において躯体に螺子６７で固定されているので、螺子６７を支点に下枠６が下方に垂れ下がり易い傾向にあるが、この時、下枠６の基体側部位と躯体との間に隙間が発生しても、かかる隙間を発泡した熱膨張耐火部材６８が塞ぐことで、下枠６の基端側部位と躯体との間から火が出ることを防止することができる。水密部材６９は、典型的にはゴム材料から形成された水密ゴムであり、このような水密部材の材料は当業者において公知であるので詳細な説明は省略する。水密部材６９は、基端側上辺６４と窓サッシ枠Ｓの間の隙間に雨水が浸水することを防止し熱膨張耐火部材６８が水と直接接触することを可及的に防止している。また、水密部材６９は、基端側上辺６４の上端部位に位置し、また、熱膨張耐火部材６８の上側に位置しており、下枠６の下面が下方から火災の熱に晒された時に、熱膨張耐火部材６８が基端側下辺６５の裏面と窓サッシ枠Ｓの部分との間で発泡することで、外部で発生した火炎が水密部材６９に引火することを防止している。
【００６５】
本実施形態では、分割部９を備えたサイドキャップ８を採用したことで、巻取シャフト２や開閉機Ｍのメンテナンスを行う時には、サイドキャップ８から分割部９を取り外し、次いで、シャッターケース７の上板７Ａから下板７Ｂを取り外せばよい。より具体的には、螺子８５２を取り外すことで、分割部９の分割下縁部（前側下縁部８５）のブラケット１の前側下面１５に対する固定を解除することができ、サイドキャップ８の本体部８´から分割部９を引き抜いて取り外すことができる。螺子８５２を取り外すことで、下板７Ｂのブラケット１の前側下面１５に対する固定を解除することができ、下板７Ｂの上側の上板７Ａの係止状態を解除することで、下板７Ｂを取り外すことができる。
【００６６】
本実施形態では、サイドキャップ８の前側かつ下側に位置する部位を、サイドキャップ８の面部８０及び前側凹部８３、下側前縁部８４、前側下縁部８５を形成する分割部９とし、分割部９を本体部８´に対して着脱可能に構成したので、図２９に示すような、サイドキャップ８の上側縁部８１や上側前縁部８２が軒天井Ｃ内に位置するような納まりにおいても、分割部９を取り外すことによって、巻取シャフト２や開閉機Ｍのメンテナンスを行うことが可能である。
【符号の説明】
【００６７】
１  ブラケット
１０  面部
１７  基端側下面（ブラケットの下端）
１７０  下地枠規制片
１０１  係止片
１０１２  開口
２  巻取シャフト
３  ガイドレール下地枠
３０´側辺の上端  
３００  側辺３０の先端側部位（被当接部）
４  ガイドレール
４０  躯体から遠い側の側辺（屋外側見付辺）
４４    連結片（被当接部）
５  シャッターカーテン
６  下枠
６０  上面
６４  基端側上辺（図２の実施形態では第１基端側辺、図２５の実施形態では第２基端側辺）
６５  基端側下辺（第２基端側辺）
６５´  取付用基端側下辺（図２５の実施形態では第１基端側辺）
６７  螺子（固定手段）
６８  熱膨張耐火部材
６９  水密部材
７  シャッターケース
７３  下面
８  サイドキャップ
８０  面部
８５  前側下縁部（サイドキャップ下面）
８５´  突出部
８５１´  突出部の側縁、第４縁（躯体側縁部）
８６  後側下縁部（サイドキャップ下面）
８０１  下側係止片
８０２〜８０６  補強リブ
８０７  水密部材（当接部材）
１９  取付台
１９１１  第１垂直片１９１の第２部分１９１１（閉塞板材）
２０  カバープレート
Ｍ  開閉機（可燃要素）
Ｗ  外壁（躯体）
Ｗ´  下地要素（躯体）
Ｓ  窓サッシ枠（躯体）
α  サイドキャップ下面の躯体側部位
β  サイドキャップ下面の屋外側部位
β１  サイドキャップ下面の屋外側部位の先端側部位
【図１】
2019206798.tif 000003
【図２】
2019206798.tif 000004
【図３】
2019206798.tif 000005
【図４】
2019206798.tif 000006
【図５】
2019206798.tif 000007
【図６】
2019206798.tif 000008
【図７】
2019206798.tif 000009
【図８】
2019206798.tif 000010
【図９】
2019206798.tif 000011
【図１０】
2019206798.tif 000012
【図１１】
2019206798.tif 000013
【図１２】
2019206798.tif 000014
【図１３】
2019206798.tif 000015
【図１４】
2019206798.tif 000016
【図１５】
2019206798.tif 000017
【図１６】
2019206798.tif 000018
【図１７】
2019206798.tif 000019
【図１８】
2019206798.tif 000020
【図１９】
2019206798.tif 000021
【図２０】
2019206798.tif 000022
【図２１】
2019206798.tif 000023
【図２２】
2019206798.tif 000024
【図２３】
2019206798.tif 000025
【図２４】
2019206798.tif 000026
【図２４Ａ】
2019206798.tif 000027
【図２５】
2019206798.tif 000028
【図２６】
2019206798.tif 000029
【図２７】
2019206798.tif 000030
【図２８】
2019206798.tif 000031
【図２９】
2019206798.tif 000032